(57)【特許請求の範囲】
【請求項１】
ジグザグ状に屈曲しながら所定方向に延びる複数の列線を、該列線の延在方向と直交する方向で互いに係合させてなる複数のひし形金網と、重ね合わせた前記複数のひし形金網の縁が固定された枠とを備え、
前記複数のひし形金網を、列線の延在方向を直交させた状態で重ね合わせ、
前記複数のひし形金網が何れも正方形を成しているネットフェンス。
【請求項２】
前記複数のひし形金網のうち、一のひし形金網を構成する列線の色と、他のひし形金網を構成する列線の色とを異ならせた請求項１記載のネットフェンス。
【請求項３】
前記複数のひし形金網の少なくとも一つを、２色以上の列線で構成した請求項１又は２に記載のネットフェンス。
【発明の詳細な説明】
【技術分野】
【０００１】
本発明は、ひし形金網を用いたネットフェンスに関する。
【背景技術】
【０００２】
ネットフェンスは、例えば安全や防犯を目的として建物や公園等に設けられる。ネットフェンスとしては、ジグザグ状に屈曲させた複数の列線の屈曲部同士を互いに係合させてなる、いわゆるひし形金網を用いたものが広く知られている（例えば、下記の特許文献１参照）。
【先行技術文献】
【特許文献】
【０００３】
【特許文献１】特開２００７−９８４２６号公報
【発明の概要】
【発明が解決しようとする課題】
【０００４】
しかし、上記のようなひし形金網を用いたネットフェンスは、デザイン性が乏しい。具体的に、ひし形金網は、構造上、網目がひし形になることがほとんどであり、デザインを変えるとすれば、せいぜい列線の太さや網目の寸法（ピッチ）を変える程度しかなく、外観に際だった特徴を持たせることは困難であった。
【０００５】
上記のような事情に鑑み、本発明は、ひし形金網を用いたネットフェンスのデザイン性を高めることを目的とする。
【課題を解決するための手段】
【０００６】
上記の目的を達成するために、本発明は、ジグザグ状に屈曲しながら所定方向に延びる複数の列線を、該列線の延在方向と直交する方向で互いに係合させてなる複数のひし形金網と、重ね合わせた前記複数のひし形金網の縁が固定された枠とを備えたネットフェンスを提供する。
【０００７】
このように、複数のひし形金網を重ねることで、一枚のひし形金網のみを有する従来のネットフェンスでは得られなかった外観を得ることができる。例えば、重ねられた複数のネットフェンスの配置や網目寸法、列線の色等を異ならせることで、様々な外観を得ることができる。具体的には、例えば、前記複数のひし形金網を、列線の延在方向を直交させた状態で重ね合わせることができる（例えば図４参照）。あるいは、前記複数のひし形金網のうち、一のひし形金網を構成する列線の色と、他のひし形金網を構成する列線の色とを異ならせることができる（例えば図５参照）。あるいは、前記複数のひし形金網の少なくとも一つを、２色以上の列線で構成することができる（例えば図６参照）。
【発明の効果】
【０００８】
以上のように、複数のひし形金網を重ねることで、ネットフェンスのデザイン性を大幅に高めることができる。
【図面の簡単な説明】
【０００９】
【図１】本発明の一実施形態に係るネットフェンスの正面図である。
【図２】上記ネットフェンスに設けられる第一ひし形金網の拡大正面図である。
【図３】上記ネットフェンスに設けられる第二ひし形金網の拡大正面図である。
【図４】第一ひし形金網及び第二ひし形金網を重ね合わせた状態を示す拡大正面図である。
【図５】他の実施形態に係るネットフェンスの拡大正面図である。
【図６】さらに他の実施形態に係るネットフェンスの拡大正面図である。
【発明を実施するための形態】
【００１０】
本発明の一実施形態に係るネットフェンス１は、図１に示すように、重ね合わせた複数のひし形金網（図示例では、第一ひし形金網２及び第二ひし形金網３）と、各ひし形金網２，３の縁が固定された枠４とを備える。枠４は矩形（特に正方形）を成している。図示例では、第一ひし形金網２及び第二ひし形金網３の縁の全周が、共通の枠４に固定されている。
【００１１】
第一ひし形金網２は、図２に示すように、複数の列線２ａを有する。列線２ａは、例えば金属線からなり、具体的には鉄線（例えば亜鉛メッキ鉄線等）、鋼線（例えば亜鉛メッキ鋼線やステンレス鋼線等）、アルミ合金線等からなる。各列線２ａは、ジグザグ状に屈曲しながら所定方向（図示例では左右方向）に沿って延びている。各列線２ａの屈曲部同士は、各列線２ａの延在方向と直交する方向（図示例では上下方向）で互いに係合している。
【００１２】
第二ひし形金網３は、図３に示すように、複数の列線３ａを有する。各列線３ａは、ジグザグ状に屈曲しながら所定方向（図示例では上下方向）に沿って延びている。各列線３ａの屈曲部同士は、各列線３ａの延在方向と直交する方向（図示例では左右方向）で互いに係合している。この他、第二ひし形金網３の構成（網目の寸法及び形状、列線の太さ、材質、色等）は、第一ひし形金網２と同じである。図示例では、両金網２，３が何れも正方形を成しているため、同じ長さの列線２ａ，３ａを用いることができ、製造を簡略化できる。尚、枠４は正方形に限らず、長方形であってもよい。
【００１３】
第一ひし形金網２及び第二ひし形金網３を重ね合わせることで、図４に示すような外観が得られる。本実施形態では、上記のように、第一ひし形金網２の列線２ａの延在方向と、第二ひし形金網３の列線３ａの延在方向とを直交させている。ひし形金網の網目は、通常、正確な正方形ではなく、列線の延在方向あるいはこれと直交する方向の何れかに若干長大なひし形となる。従って、同一形状のひし形金網２，３を、列線２ａ，３ａの延在方向を直交させた状態で重ねることで、上下方向に若干長大なひし形の網目（第一ひし形金網２）と、水平方向に若干長大なひし形の網目（第二ひし形金網３）とが重ねられるため、一枚のひし形金網とは全く異なる外観が得られる。
【００１４】
本発明は上記の実施形態に限られない。例えば、図５に示す実施形態では、第一ひし形金網２の列線２ａの色と、第二ひし形金網３の列線３ａの色とを異ならせている。図示例では、両金網２，３の列線２ａ，３ａの延在方向を平行にした状態で、両金網２，３を重ね合わせている。その他の点は、上記の実施形態と同様であるため、説明を省略する。
【００１５】
また、図６に示す実施形態では、第一ひし形金網２を、２色以上の列線２ａで構成している点で、図５に示す実施形態と異なる。図示例では、２色の列線２ａ１，２ａ２を交互に配列し、異なる色の列線２ａ１，２ａ２の屈曲部同士を係合させている。一方、第二ひし形金網３は、単色の列線３ａで構成されている。この他、３色以上の列線で、第一ひし形金網２を構成してもよい。また、第一ひし形金網２だけでなく、第二ひし形金網３も、２色以上の列線３ａで構成してもよい。
【００１６】
また、図５あるいは図６に示すような異なる色の列線を有するひし形金網２，３を、図４と同様に、各列線２ａ，３ａの延在方向を直交させた状態で重ね合わせてもよい。あるいは、同一の構成（網目寸法及び形状、列線の材質、色、太さ等）を有する複数のひし形金網を、列線の延在方向を揃えた状態で重ねてもよい。この場合、各ひし形金網の網目（列線）を金網厚さ方向（図１〜６の紙面直交方向）で完全に重ねてもよいし、各ひし形金網の網目を金網厚さ方向と直交する方向（図１〜６の紙面と平行な方向）でずらしてもよい。例えば、同じピッチの網目を有する複数のひし形金網を、網目の半ピッチずつずらした状態で重ねてもよい。
【００１７】
以上の各実施形態において、両金網２，３の列線２ａ，３ａの太さを異ならせてもよい。また、以上の各実施形態において、両金網２，３の網目の寸法や形状を異ならせてもよい。
【００１８】
また、ネットフェンス１に設けられるひし形金網の数は２枚に限らず、３枚以上のひし形金網を重ねてもよい。
【００１９】
本発明は、以上の実施形態に限定されることはなく、本発明の趣旨を逸脱しない範囲内で適用可能であることは言うまでもない。
【符号の説明】
【００２０】
１     ネットフェンス
２，３ ひし形金網
２ａ，３ａ    列線
４     枠
【図１】
0006461620.tif 000002
【図２】
0006461620.tif 000003
【図３】
0006461620.tif 000004
【図４】
0006461620.tif 000005
【図５】
0006461620.tif 000006
【図６】
0006461620.tif 000007